(57)【要約】【課題】紫外線吸収剤、ビタミンＣ補給剤およびＥＳＲ放射線線量計の検出素子材料として使用可能な無機イオン性分子結晶を提供する。【解決手段】アスコルビン酸含有の０．１モル炭酸ナトリウム水溶液４００ｍｌに、１モル塩化カルシウム水溶液４０ｍｌを加えることにより、炭酸カルシウム結晶を析出させる。このようにして得られた炭酸カルシウムは、その結晶内部にアスコルビン酸を含有する。このアスコルビン酸の作用により、この炭酸カルシウムは、図１に示すように、ＵＶＢ領域に紫外線吸収を示し、また、ＥＳＲ放射線線量計およびビタミンＣ補給剤としても使用できる。【選択図】  図１
2004168701.tif 000002
【特許請求の範囲】
【請求項１】
無機酸および金属を含む無機イオン性分子結晶であって、この結晶内に、アスコルビン酸、アスコルビン酸塩、アスコルビン酸誘導体およびアスコルビン酸イオンからなる群から選択される少なくとも一つを含有する無機イオン性分子結晶。
【請求項２】
金属が、ナトリウム、カリウム、リチウム、ストロンチウム、カルシウム、マグネシウムおよびバリウムからなる群から選択された少なくとも一つである請求項１記載の無機イオン性分子結晶。
【請求項３】
無機酸が、炭酸、リン酸および硫酸の少なくとも一つである請求項１または２記載の無機イオン性分子結晶。
【請求項４】
無機イオン性分子結晶が、炭酸カルシウム結晶、炭酸マグネシウム結晶、炭酸バリウム結晶、硫酸カルシウム結晶、硫酸マグネシウム結晶、硫酸バリウム結晶、リン酸カルシウム結晶、炭酸マグネシウムカルシウム結晶および炭酸ストロンチウム結晶からなる群から選択される少なくとも一つである請求項１記載の無機イオン性分子結晶。
【請求項５】
アスコルビン酸塩が、アスコルビン酸ナトリウム塩、アスコルビン酸カリウム塩およびアスコルビン酸カルシウム塩からなる群から選択される少なくとも一つである請求項１から４のいずれかに記載の無機イオン性分子結晶。
【請求項６】
アスコルビン酸イオンが、１価のイオンおよび２価のイオンの少なくとも一方である請求項１から４のいずれかに記載の無機イオン性分子結晶。
【請求項７】
アスコルビン酸、アスコルビン酸塩、アスコルビン酸誘導体およびアスコルビン酸イオンの合計含有量が、これを含む無機イオン性分子結晶全体に対し、０．００１〜１０質量％の範囲である請求項１から５のいずれかに記載の無機イオン性分子結晶。
【請求項８】
請求項１から７のいずれかに記載の無機イオン性分子結晶の製造方法であって、無機酸イオン水溶液および金属イオン水溶液の少なくとも一方に、アスコルビン酸、アスコルビン酸塩およびアスコルビン酸誘導体の少なくとも一つを含有させ、前記両水溶液を混合して無機イオン性分子結晶を析出させる際に、前記結晶中に、アスコルビン酸、アスコルビン酸塩、アスコルビン酸およびアスコルビン酸イオンの少なくとも一つを含有させる製造方法。
【請求項９】
請求項１から７のいずれかに記載の無機イオン性分子結晶の製造方法であって、無機酸イオン水溶液に、アスコルビン酸金属塩を添加して無機イオン性分子結晶を析出させる際に、前記結晶中にアスコルビン酸、アスコルビン酸塩およびアスコルビン酸イオンの少なくとも一つを含有させる製造方法。
【請求項１０】
請求項１から７のいずれかに記載の無機イオン性分子結晶を含む紫外線吸収剤。
【請求項１１】
無機イオン性分子結晶中に、紫外線散乱剤を含む請求項１０記載の紫外線吸収剤。
【請求項１２】
紫外線散乱剤が、酸化チタンおよび酸化亜鉛の少なくとも一つである請求項１１記載の紫外線吸収剤。
【請求項１３】
グリセリンを含む請求項１０から１２のいずれかに記載の紫外線吸収剤。
【請求項１４】
請求項１から７のいずれかに記載の無機イオン性分子結晶を含むビタミンＣ補給剤。
【請求項１５】
電子スピン共鳴（ＥＳＲ）放射線線量計の検出素子材料であって、請求項１から７のいずれかに記載の無機イオン性分子結晶を含む検出素子材料。
【請求項１６】
放射線によって不対電子を生じる検出材料を定型化した検出素子と、前記検出材料中の電子スピン共鳴（ＥＳＲ）を測定する装置とを有し、前記検出材料の不対電子の濃度若しくは前記不対電子を含むラジカルの濃度を測定し、この測定値から放射線量を決定するＥＳＲ放射線線量計であって、前記検出材料が、請求項１５記載の検出素子材料を含むＥＳＲ放射線線量計。
【請求項１７】
不対電子若しくはラジカルの強度校正用として、常磁性金属イオンを前記無機イオン性分子結晶中に含む請求項１６記載のＥＳＲ放射線線量計。
【請求項１８】
常磁性金属イオンが、マンガンイオン、クロムイオンおよび銅イオンの少なくとも一つである請求項１７記載のＥＳＲ放射線線量計。
【発明の詳細な説明】
【０００１】
【発明の属する技術分野】
本発明は、例えば、紫外線吸収剤、ビタミンＣ補給剤および電子スピン共鳴（ＥＳＲ）放射線線量計の検出素子材料等として使用可能である新規の無機イオン性分子結晶に関する。
【０００２】
【従来の技術】
アスコルビン酸は、別名、ビタミンＣとして知られており、生体の必須栄養素である。アスコルビン酸が欠乏すると、皮膚を構成するコラーゲンにおいて、プロリンがハイドロキシプロリンに変換できず、この結果、壊血病になってしまう。この他、アスコルビン酸は、抗酸化機能を有しており、生体内で発生したフリーラジカルを消去したりしている。このため、アスコルビン酸は、栄養補助剤として一般に市販されている。また、抗酸化機能に着目されて、アスコルビン酸は、食品や医薬品等の酸化防止剤として汎用されている。このように、アスコルビン酸は、その機能について様々な研究がなされており、いろいろな分野で使用されている。しかしながら、アスコルビン酸に関するこれまでの研究は、全て水溶液中のものであり、固体中での働きについての研究は少なく、例えば、無機イオン性分子結晶中での働きについては、研究されていなかった。
【０００３】
一方、紫外線吸収剤、ビタミンＣ補給剤およびＥＳＲ放射線線量計について、従来から、つぎのような問題が指摘されている。
【０００４】
まず、従来の紫外線吸収剤としては、パラジメチルアミノ安息香酸オクチル等のパラアミノ安息香酸系、オキシベンゾン等のベンゾフェノン誘導体、メトキシ桂皮酸誘導体、サリチル酸誘導体等がある。しかしながら、これら従来の紫外線吸収剤を人の皮膚に使用する場合は、表皮全体に結合するおそれがあり、このため、接触性皮膚炎若しくは光接触性皮膚炎を起すおそれがあるといわれている。このような問題を考慮して、上記の紫外線吸収剤に代えて紫外線散乱剤が使用されるようになってきた。紫外線散乱剤としては、酸化チタン、酸化亜鉛等がある。しかしながら、これらの紫外線散乱剤は、粉体表面での光触媒活性が高いため、配合成分の安定性に問題があり、このため各種表面処理等を施して活性および反応性を弱めているが、問題が完全に解決されているわけではない。
【０００５】
つぎに、ビタミンＣ補給剤は、アスコルビン酸若しくはその塩を、そのまま使用したものや、賦型剤で錠剤化したもの等がある。しかしながら、ビタミンＣは水に容易に溶けて酸素と反応して分解されるという問題がある。また、ビタミンＣは、酸味を有するため、これを食品や清涼飲料にそのまま添加すると、味が変質するという問題がある。
【０００６】
つぎに、従来の放射線計測器としては、写真フィルムの黒化を利用したフィルムバッジや、放射線により生じる電子とホールの再結合発光を利用するシンチレーション計測器、電離電流パルスを半導体ＰＮ接合で測定する半導体検出器、熱ルミネッセンス線量計、光刺激ルミネッセンス線量計など種々のものがある。この他に、近年、電子スピン共鳴（ＥＳＲ）の原理を用いて被爆体のマイクロ波吸収を観測して線量を得るＥＳＲ線量計の開発が進んでいる。電子スピン共鳴とは、スピン量子数Ｓを持つ不対電子が静磁場におかれると、エネルギー準位が２Ｓ＋１個にゼーマン分裂するが、この隣り合った準位間に等しいマイクロ波を加えると共鳴的に吸収が起きる現象をいう。特許文献１に記載のＥＳＲ放射線線量計は、無機結晶材料に放射線を照射した際に、化学結合が切断されて生じる不対電子の個数を、電子スピン共鳴を用いて測定し、被爆線量を得るというものである。ＥＳＲ線量計は、非破壊測定器であるので、吸収線量を読み取ってもこの吸収線量が消えないという点で法的証拠能力があり、熱ルミネッセンス線量計、光刺激ルミネッセンス線量計にない利点を有する。ＥＳＲ放射線線量計の検出素子材料としては、アミノ酸や砂糖等の有機物質が使用される場合があり、アラニンを検出素子材料として用いたＥＳＲ放射線線量計は、中高線領域の標準的な線量計として普及している。この検出素子は、例えば、アラニン粉末をペレット状に圧縮成形したものを、パラフィンに埋め込んで固形化して作製される。この検出素子に放射線や光を曝して、ＥＳＲ線量計でそのラジカルの量を測定するのである。この測定方法は、以下のように実施される。すなわち、まず、被爆後の検出素子材料を内径４ｍｍ程度の石英試料管にいれて、マイクロ波空洞共振器中に設置する。マイクロ波出力は一定にしておいて、磁場変調を掛ける。磁場変調により、変調された信号を増幅器によって増幅し、マイクロ波吸収信号  Ｐ（Ｈ）の一次微分形ｄＰ／ｄＨとして信号を取り出し、これを放射線量に換算する。
【０００７】
しかしながら、従来のＥＳＲ放射線線量計は、感度が著しく低いという問題を有する。例えば、０．１Ｇｙから２０Ｇｙを必要とする輸血用血液の放射線殺菌等において、従来のＥＳＲ放射線線量計は、使用できなかった。感度が低くなる理由は、二つある。第１の理由は、アラニンを検出素子材料として使用したＥＳＲ放射線線量計では、ＥＳＲ吸収曲線の線幅（￣０．６ｍＴ）が広いので、その信号強度が小さくなり、ラジカルの濃度の測定範囲が低くなるからである。これは、ラジカル濃度がＥＳＲ吸収曲線の面積に比例するからである。第２の理由は、アラニン結晶を粉砕し粉末にするときにできる信号が重なっているためである。これらの他に、従来のＥＳＲ放射線線量計の問題としては、電子スピン共鳴の測定条件として、マイクロ波の出力強度１ｍＷ、変調磁場強度０．１ｍＴ以上を必要とし、そのため高性能な電子スピン共鳴装置を必要とするという問題があげられる。
【０００８】
【特許文献１】
特公昭６１―５６９５９号公報
【０００９】
【発明が解決しようとする課題】
本発明は、このような事情に鑑みなされたもので、紫外線吸収剤、ビタミンＣ補給剤およびＥＳＲ放射線線量計の検出素子材料等に使用可能であって、これらの従来の問題点を解決可能な新規の無機イオン性分子結晶の提供を、その目的とする。
【００１０】
【課題を解決するための手段】
前記目的を達成するために、本発明の無機イオン性分子結晶は、無機酸および金属を含む無機イオン性分子結晶であって、この結晶内に、アスコルビン酸、アスコルビン酸塩、アスコルビン酸誘導体およびアスコルビン酸イオンの少なくとも一つ（以下「アスコルビン酸等」ともいう）を含有する。
【００１１】
この無機イオン性分子結晶は、その内部にアスコルビン酸等を含有しているため、これにより、例えば、紫外線吸収剤、ビタミンＣ補給剤およびＥＳＲ放射線線量計の検出素子材料として使用でき、しかも、これらの従来の問題を解決できる。なお、従来、無機イオン性分子結晶とアスコルビン酸等との混合物があったかもしれないが、本発明は、このような混合物ではなく、無機イオン性分子結晶内に、アスコルビン酸等が存在する点が、特徴である。
【００１２】
例えば、本発明の無機イオン性分子結晶は、その内部にアスコルビン酸等を含有するため、アスコルビン酸単体に比べてバンド幅の広い紫外線吸収作用を有する。したがって、これを含む紫外線吸収剤は、皮膚への結合および光触媒反応による不都合が生じることがなく、しかも良好な紫外線吸収作用を示す。
【００１３】
また、本発明の無機イオン性分子結晶は、その内部にアスコルビン酸等を含有するため、酸性以外の水にアスコルビン酸等が溶け出すことがなく、外部から遮断されているため、酸素による酸化分解も防止され、かつ食品や清涼飲料水等の味にも影響を与えない。
【００１４】
そして、本発明の無機イオン性分子結晶をＥＳＲ放射線線量計の検出素子材料として使用すれば、ＥＳＲ吸収曲線の線幅が、例えば、従来の６０分の１程度、マイクロ波出力強度を、例えば、従来の１００分の１程度、変調磁場を、例えば、従来の１０分の１程度に抑制しつつも、高感度を実現することができる。この結果、例えば、医療用放射線量計（例えば、輸血用血液放射線殺菌用や放射線治療用）としても使用できるＥＳＲ放射線線量計も可能となる。
【００１５】
【発明の実施の形態】
以下、本発明をさらに詳しく説明する。
【００１６】
本発明の無機イオン性分子結晶において、前記金属は、例えば、ナトリウム、カリウム、リチウム、ストロンチウム、カルシウム、マグネシウムおよびバリウムがある。これらの金属は、単独で使用してもよく、２種類以上で併用してもよい。このなかでも、好ましいのは、マグネシウム、カルシウム、ストロンチウムであり、より好ましいのはカルシウムである。
【００１７】
本発明の無機イオン性分子結晶において、前記無機酸は、例えば、炭酸、硫酸、リン酸がある。このなかでも、炭酸が好ましい。
【００１８】
本発明の無機イオン性分子結晶の具体例としては、炭酸カルシウム結晶、炭酸マグネシウム結晶、炭酸バリウム結晶、硫酸カルシウム結晶、硫酸マグネシウム結晶、硫酸バリウム結晶、リン酸カルシウム結晶、炭酸マグネシウムカルシウム［ＣａＭｇ（ＣＯ３）２］結晶等がある。このなかで、好ましいのは炭酸カルシウム結晶である。
【００１９】
本発明の無機イオン性分子結晶には、アスコルビン酸、アスコルビン酸塩、アスコルビン酸誘導体およびアスコルビン酸イオンの少なくとも一つが含まれている。アスコルビン酸塩としては、例えば、アスコルビン酸ナトリウム塩、アスコルビン酸カリウム塩およびアスコルビン酸カルシウム塩等があり、これらは単独で使用してもよく、２種類以上で併用してもよい。アスコルビン酸イオンは、１価と２価があり、ｐＨによって変化する。アスコルビン酸からアスコルビン酸イオン（１価）に変化する場合のｐＫ１は、４．１であり、アスコルビン酸イオン（１価）からアスコルビン酸イオン（２価）に変化する場合のｐＫ２は１１．５７である。紫外線吸収剤に使用する場合は、ＵＶＢ領域に吸収を持つ２価のアスコルビン酸イオンが多く含まれることが好ましく、ＥＳＲ放射線線量計の検出素子材料に使用する場合は、１価のアスコルビン酸イオンのラジカルが有用であるから、１価のアスコルビン酸イオンが多く含まれることが好ましい。アスコルビン酸、アスコルビン酸塩、アスコルビン酸誘導体およびアスコルビン酸イオンの合計若しくは単独の含有量は、特に制限されないが、これを含む無機イオン性分子結晶全体に対し、例えば、０．００１〜１０質量％の範囲であり、紫外線吸収剤の用途の場合、好ましくは１〜５質量％であり、ＥＳＲ放射線線量計の用途の場合、好ましくは０．００１〜０．１質量％の範囲である。
【００２０】
つぎに、本発明の無機イオン性分子結晶の製造方法は、特に制限されないが、例えば、つぎの第１の製造方法と、第２の製造方法とがある。
【００２１】
前記第１の製造方法は、無機酸イオン水溶液および金属イオン水溶液の少なくとも一方に、アスコルビン酸、アスコルビン酸塩およびアスコルビン酸誘導体の少なくとも一つを含有させ、前記両水溶液を混合して無機イオン性分子結晶を析出させる際に、前記結晶中に、アスコルビン酸、アスコルビン酸塩、アスコルビン酸誘導体およびアスコルビン酸イオンの少なくとも一つを含有させる製造方法である。前記両水溶液の混合方法は、特に制限されず、例えば、一方の溶液に他方の溶液を加えても良い。この他、ある容器に、前記両水溶液を混ぜながら注入することで混合してもよい。後者の方法の場合、例えば、スプレーを用いて混合することができる。
【００２２】
前記無機酸水溶液としては、例えば、炭酸ナトリウム水溶液、炭酸カリウム水溶液、炭酸アンモニア水溶液、硫酸ナトリウム水溶液、硫酸カリウム水溶液、リン酸アンモニア水溶液等がある。また、金属イオン水溶液としては、例えば、塩化カルシウム水溶液、酢酸カルシウム水溶液、塩化マグネシウム水溶液、塩化ストロンチウム水溶液、塩化バリウム水溶液等がある。また、無機酸イオンと金属イオンのモル比は、１：１が好ましい。例えば、０．１Ｍ炭酸ナトリウム水溶液に、これの１／１０体積量の１Ｍ塩化カルシウム水溶液を加えて炭酸カルシウム結晶を析出させてもよい。この他に、０．１Ｍ炭酸ナトリウム水溶液に、０．１Ｍ塩化カルシウム水溶液を混ぜながら容器に注ぎ込んで、炭酸カルシウムを析出させてもよい。なお、本発明の水溶液に使用する水は、特に制限されないが、イオン交換水、蒸留水、超純水等が好ましい。また、アスコルビン酸イオンの価数を調整する方法として、例えば、無機酸水溶液のｐＨを調整して、これにアスコルビン酸若しくはアスコルビン酸塩を添加すればよい。例えば、ｐＨ１１．４１の炭酸ナトリウム水溶液にアスコルビン酸若しくはその塩を加えれば、２価のイオンが多く存在し、炭酸カルシウムと炭酸ナトリウムの混合水溶液（ｐＨ１１．０５）にアスコルビン酸若しくはその塩を加えれば、１価のイオンが多く存在する。ｐＨの調整方法は、特に制限されず、例えば、水酸化ナトリウム、水酸化カリウム、水酸化カルシウム等のアルカリ性物質や、塩酸、硫酸等の酸性物質を添加することにより、行ってもよい。
【００２３】
前記第２の製造方法は、無機酸イオン水溶液に、アスコルビン酸金属塩を添加して無機イオン性分子結晶を析出させる際に、前記結晶中にアスコルビン酸、アスコルビン酸塩およびアスコルビン酸イオンの少なくとも一つを含有させる製造方法である。
【００２４】
つぎに、本発明の紫外線吸収剤は、前記本発明の無機イオン性分子結晶を含むものである。本発明の無機イオン性分子結晶の吸収波長は、例えば、２５０〜３２０ｎｍの範囲であり、ＵＶＢ領域（２８０〜３１５ｎｍ）に吸収波長を持つのが特徴である。なお、アスコルビン酸自身は、ＵＶＢ領域に顕著な吸収波長を持たない。前記紫外線吸収剤全体に対する前記無機イオン性分子結晶の含有割合は、特に制限されず、例えば、０．００１〜１００質量％の範囲である。本発明の紫外線吸収剤における無機イオン分子結晶中のアスコルビン酸等の割合は、特に制限されないが、前記無機イオン性分子結晶全体に対し、例えば、０．１〜５質量％の範囲、好ましくは、０．５〜２質量％の範囲、より好ましくは１〜２質量％の範囲である。前記紫外線吸収剤は、その他の成分として、紫外線散乱剤、グリセリン、その他の紫外線吸収剤等を含んでいてもよい。前記紫外線散乱剤との併用により、本発明の紫外線吸収剤は、紫外線遮断波長帯幅が広がる。前記紫外線散乱剤としては、例えば、酸化チタン、酸化亜鉛等がある。紫外線散乱剤の含有割合は、特に制限されず、紫外線吸収剤全体に対し、例えば、０．０１〜１０質量％の範囲である。また、紫外線散乱剤の粒径は、特に制限されないが、例えば、０．００１〜０．１μｍの範囲である。一方、グリセリンを含むことによって、無機イオン性分子結晶の形態を粉体から、流動性のものに変えることができ、これによって用途が広がる。また、グリセリンを配合して流動性を持たせることにより、粉体の場合に比べて、紫外線吸収剤における表面の無機イオン性分子結晶の割合を増加させることができ、この結果、紫外線吸収効果を維持しつつ無機イオン性分子結晶の配合量を減少させることが可能となる。グリセリンの配合割合は、特に制限されず、紫外線吸収剤全体に対し、例えば、１０〜７０質量％の範囲である。本発明の紫外線吸収剤は、化粧品、医薬品、衣料品、樹脂添加剤、紙、ゴム、プラスチック等、様々な用途に使用できる。
【００２５】
つぎに、本発明のビタミンＣ補給剤は、前記本発明の無機イオン性分子結晶を含む。前述のように、この無機イオン性分子結晶は、その内部にアスコルビン酸等を含むため、アスコルビン酸等は外部と遮断された状態にある。本発明のアスコルビン酸補強剤において、前記無機イオン性分子結晶の割合は、特に制限されず、前記補強剤全体に対し、例えば、０．００１〜１００質量％である。本発明のビタミンＣ補給剤における無機イオン分子結晶中のアスコルビン酸等の割合は、特に制限されないが、前記無機イオン性分子結晶全体に対し、例えば、０．００１〜１０質量％の範囲、好ましくは、０．１〜５質量％の範囲、より好ましくは１〜５質量％の範囲である。また、本発明のビタミンＣ補給剤は、例えば、他のビタミン類（Ａ，Ｂ群、Ｄ、Ｅ等）、アミノ酸類、ミネラル類（亜鉛、カルシウム等）等のその他の成分を含んでいてもよい。また、本発明のビタミンＣ補給剤の形態は、特に制限されず、例えば、粉末、錠剤等であってもよい。また、本発明のビタミンＣ補強剤は、通常のビタミン剤（サプリメント）の他に、例えば、歯磨き粉（出血防止等）、カルシウムサプリメント（カルシウムの吸収を助ける等）、ヨーグルト等の乳製品に使用してもよい。
【００２６】
つぎに、本発明のＥＳＲ放射線線量計の検出素子材料は、前記本発明の無機イオン性分子結晶を含む。この検出素子は、例えば、検出素子材料が粉末の場合、この粉末をカプセルに入れたもの、またはこの粉末を融剤によって、ポリスチレンやパラフィンなどと固定化したものであってもよい。また、検出素子の形状は、特に制限されず、ロッド状、板状、テープ状等、種々の形状が可能である。また、本発明の検出素子材料における無機イオン分子結晶中のアスコルビン酸等の割合は、特に制限されないが、前記無機イオン性分子結晶全体に対し、例えば、０．０１〜０．３質量％の範囲、好ましくは、０．０５〜０．２質量％の範囲である。
【００２７】
前記無機イオン性分子結晶において、二種類以上の金属イオンを用いる場合は、それらの金属イオンの含有率を調整することで、また、添加するアスコルビン酸等の量を調整することで、前記検出素子材料の放射線に対する感度を調整することが可能である。また、前記検出素子材料を加熱して、添加したアスコルビン酸等を熱的に分解することにより、検出素子材料の放射線に対する感度を調整することも可能である。
【００２８】
本発明のＥＳＲ放射線線量計の検出素子材料において、前記無機イオン性分子結晶は、不対電子若しくはラジカルの強度校正用としての常磁性金属イオンを含むことが好ましい。常時性金属イオンとしては、例えば、マンガンイオン、クロムイオン、銅イオン等がある。これらは、単独で使用してもよく、２種類以上で併用してもよい。このなかでも、好ましいのは、マンガンイオン、クロムイオンであり、より好ましいのは、マンガンイオンである。また、常磁性金属イオンの割合は、無機イオン性分子結晶全体に対し、例えば、１〜５００ｐｐｍであり、好ましくは１０〜５０ｐｐｍである。常磁性金属イオンは、前記無機酸イオン水溶液若しくは前記金属イオン水溶液または双方に添加することにより、無機イオン性分子結晶の析出の際に、前記結晶中に含ませることができる。
【００２９】
つぎに、本発明のＥＳＲ放射線線量計は、放射線によって不対電子を生じる検出材料を定型化した検出素子と、前記検出材料中のＥＳＲを測定する装置とを有し、前記検出材料の不対電子の濃度若しくは前記不対電子を含むラジカルの濃度を測定し、この測定値から放射線量を決定するＥＳＲ放射線線量計であって、前記検出材料が、前記本発明の検出素子材料を含む。本発明のＥＳＲ放射線線量計を用いた放射線の測定は、例えば、以下のようにして行う。
【００３０】
すなわち、まず、本発明の無機イオン性分子結晶をペレット状に圧縮成形したものを、パラフィンに埋め込んで固形化して検出素子を作製する。この検出素子を放射線や光を曝す。そして、被曝後の検出素子を内径４ｍｍ程度の石英試料管にいれて、マイクロ波空洞共振器中に設置する。マイクロ波出力は一定にしておいて、磁場変調を掛ける。磁場変調により、変調された信号を増幅器によって増幅し、マイクロ波吸収信号  Ｐ（Ｈ）の一次微分形ｄＰ／ｄＨとして信号を取り出し、これを放射線量に換算する。
【００３１】
【実施例】
つぎに、本発明の実施例について説明する。
【００３２】
（実施例１）
０．１Ｍ炭酸ナトリウム水溶液４００ｍｌおよび１Ｍ塩化カルシウム水溶液４０ｍｌを準備した。そして、前記炭酸ナトリウム水溶液に、アスコルビン酸を３．１ｇ若しくは０．３１ｇ添加した。アスコルビン酸の添加量は、これを含む炭酸カルシウム結晶全体の１質量％若しくは０．１質量％となるように調整した量である。そして、前記炭酸ナトリウム水溶液に前記塩化カルシウム水溶液を加えることにより、結晶内部にアスコルビン酸を含む炭酸カルシウム結晶を析出させた。得られた結晶は、アスコルビン酸濃度が、０．１質量％と１質量％の２種類である。
【００３３】
前記２種類のアスコルビン酸含有炭酸カルシウム結晶について、各波長における吸光度を測定した。この測定は、積分球を用いた拡散反射測定により行い、標準試料として硫酸バリウムを用い、測定機は、島津製作所のＳｉｍａｚｕ  ＵＶ−３１０１ＰＣを用いた。また、コントロールとして、アスコルビン酸（ビタミンＣ）および炭酸カルシウムについても吸光度を測定した。この結果を、図１に示す。同図において、曲線Ａは、アスコルビン酸１質量％含有の炭酸カルシウムの吸光度を示し、曲線Ｂは、アスコルビン酸０．１質量％含有の炭酸カルシウムの吸光度を示し、曲線Ｃは炭酸カルシウム単体の吸光度を示し、曲線Ｄは、アスコルビン酸（ビタミンＣ）単体の吸光度を示す。図示のように、アスコルビン酸含有炭酸カルシウムは、紫外線領域で吸光を示し、特にＵＶＢ領域で高い吸光を示した。また、アスコルビン酸の含有量を増やせば、吸光度も向上した。
【００３４】
（実施例２）
実施例１と同じ方法により、アスコルビン酸を１質量％含有する炭酸カルシウムを調製した。これと、グリセリンとを、体積比１：１で混合し、これの吸光度を測定した。この測定も、実施例１と同じ方法で行った。また、参考例として、アスコルビン酸を１質量％含有する炭酸カルシウムの吸光度も併せて測定した。この結果を、図２に示す。同図において、上の曲線がグリセリンと混合した場合の吸光度を示し、下の曲線が、グリセリンと混合しない場合の吸光度を示す。図示のように、グリセリンと混合することによって、吸光度が向上した。
【００３５】
（実施例３）
実施例１の方法において、炭酸ナトリウム水溶液に、酸化亜鉛（粒径０．０２μｍ）を１００ｍｇ添加し、アスコルビン酸６．２ｇ若しくは０．６２ｇ添加した。また、酸化亜鉛は、超音波により粒子を前記水溶液に均一に分散させた。これら以外は、実施例１と同じ方法により、アスコルビン酸と酸化亜鉛を含有する炭酸カルシウムを調製し、この吸光度を測定した。この測定も、実施例１と同じ方法で行った。また、参考例として、アスコルビン酸を１質量％含有する炭酸カルシウムの吸光度も併せて測定した。この結果を、図３に示す。同図において、実線が、酸化亜鉛を含有する場合の吸光度を示し、点線が、酸化亜鉛を含有しない場合の吸光度を示す。図示のように、酸化亜鉛を配合することにより、ＵＶＢ領域（２８０〜３１５ｎｍ）に加え、ＵＶＡ領域（３１５〜３８０ｎｍ）においても、吸光が確認できた。
【００３６】
（実施例４）
実施例１の方法において、炭酸ナトリウム水溶液に、アスコルビン酸を、種々濃度で添加した。これ以外は、実施例１と同じ方法により、種々濃度でアスコルビン酸を含有する炭酸カルシウムを調製し、この吸光度（２９３ｎｍ）を測定した。この測定も、実施例１と同じ方法で行った。その結果を、図４に示す。図示のように、アスコルビン酸の含有量が増加するにつれて、吸光度も上昇した。
【００３７】
（実施例５、比較例１）
炭酸カリウムと炭酸ナトリウムからなる０．１Ｍ炭酸水溶液２００ｍｌおよび、０．１Ｍ塩化カルシウム水溶液を準備した。前記炭酸水溶液にアスコルビン酸ナトリウムを０．０７９ｇ添加した。そして、前記炭酸水溶液と前記塩化カルシウム水溶液を一定の速度（１．３ｍｌ／ｓｅｃ）で同時にまぜ、混合液をビーカーに溜めることにより結晶内部にアスコルビン酸イオンを含む炭酸カルシウム結晶（白色粉末）を析出させた。得られた結晶は、アスコルビン酸濃度が０．０８質量％である。この白色粉末をＥＳＲ放射線線量計の検出素子とした。他方、粉末ＤＬ−アラニンを同様にＥＳＲ放射線線量計の検出素子とし、これを比較例１とした。これらの検出素子に対し、γ線をそれぞれ照射した。これらの検出素子を、それぞれ内径４ｍｍ程度の石英試料管に約２００ｍｇ納め、この石英試料管を空洞共振器の中に挿入した。そして、マイクロ波出力は一定にしておいて、磁場変調を掛けた。この磁場変調により、変調された信号を増幅器によって増幅し、マイクロ波吸収信号  Ｐ（Ｈ）の一次微分形ｄＰ／ｄＨとして信号を取り出すことにより、ＥＳＲ吸収信号を測定した。この測定の条件は、吸収線量が７０グレイ（Ｇｙ）、変調磁場の幅が０．０２ｍＴ、磁場走引幅が２ｍＴ、マイクロ波出力強度０．０１ｍＷである。この測定結果を、図５に示す。同図において、上の曲線が、ＤＬ−アラニンのＥＳＲ吸収信号であり。下の曲線が、アスコルビン酸含有炭酸カルシウムのＥＳＲ吸収信号である。図示のように、アスコルビン酸含有炭酸カルシウムの信号幅は、ＤＬ−アラニンの真中の信号にくらべ、約６０分の１程度小さいことがわかる。
【００３８】
つぎに、前記検出素子について、ＥＳＲ測定時の設定条件のである磁場変調およびマイクロ波出力の最適条件を調べた。磁場変調の結果を、図６に示し、マイクロ波出力の結果を図７に示す。図６に示すようにマイクロ波出力０．０２ｍＷの条件では、アスコルビン酸含有炭酸カルシウムは、ＤＬ−アラニンに比べ、それぞれの変調磁場の最適条件（信号強度が飽和する直前の変調磁場）において、ＥＳＲ信号強度が約３倍よい。また、図７に示すように変調磁場０．０２ｍＴでは、アスコルビン酸含有炭酸カルシウムは、ＤＬ−アラニンに比べ、それぞれのマイクロ波出力の最適条件（信号強度が飽和する直前の変調磁場）において、ＥＳＲ信号強度が約１０倍よい。これらの結果を総合すると、アスコルビン酸含有炭酸カルシウムの信号強度は、アラニンに対し、ほぼ半減するといえる。
【００３９】
γ線を照射せずに、アスコルビン酸含有炭酸カルシウム検出素子およびＤＬ−アラニン検出素子のＥＳＲ信号を測定した。この測定において、アスコルビン酸含有炭酸カルシウムの条件は、マイクロ波出力０．０２ｍＷ，調磁場０．０２ｍＴであり、ＤＬ−アラニンの条件は、マイクロ波出力５ｍＷ、変調磁場０．６３ｍＴであり、それぞれ最適の条件とした。この結果を、図８に示す。図示のように、未照射にもかかわらず、ＤＬ−アラニンには、すでにＥＳＲ信号が存在し、最低検出線量は、この信号に依存する。これに対し、アスコルビン酸含有炭酸カルシウムは、ＥＳＲ信号がなく、最低検出線量は、装置の性能に依存することになる。
【００４０】
γ線を低量（６８０ｍＧｙ）で照射して、アスコルビン酸含有炭酸カルシウム検出素子のＥＳＲ信号を測定した。この時の条件は、マイクロ波出力０．０２ｍＷ、変調磁場０．０２ｍＴであり、ＥＳＲ測定装置として、ＪＥＯＬ  ＲＥ−１Ｘ（日本電子社製）を使用した。この結果を、図９に示す。図示のように、γ線が低量であっても検出することができた。
【００４１】
アスコルビン酸含有炭酸カルシウムラジカルおよびＤＬ−アラニンラジカルの、ＥＳＲ測定における熱安定性を、それぞれ調べた。また、参考例として、マンガンイオン含有炭酸カルシウムの熱安定性も調べた。加熱は、種々温度で１５分間アニールすることにより、行った。すなわち、室温から徐々に温度を上げていくなかで、ある温度で１５分間一定に保持した後、ＥＳＲを測定し、その後、昇温して次の温度で１５分間一定に保持した後、またＥＳＲを測定し、というように、同じサンプルを種々温度で一定に１５分間保持した後、その都度ＥＳＲを測定した。このような実験を等時焼鈍実験という。ＥＳＲ測定の条件は、アスコルビン酸含有炭酸カルシウムの場合、マイクロ波出力０．０２ｍＷ、変調磁場０．０２ｍＴであり、ＤＬ−アラニンの場合、マイクロ波出力１ｍＷ、変調磁場０．１ｍＴであり、Ｍｎ２＋の場合、マイクロ波出力１ｍＷ、変調磁場０．１ｍＴである。これらの結果を図１０に示す。図示のように、アスコルビン酸含有炭酸カルシウムは、ＤＬ−アラニンに比べ、約１００℃ほど熱安定性に優れており、高温での熱安定性に優れていた。また、アスコルビン酸含有炭酸カルシウムは、室温での減衰率も十分に小さかった。
【００４２】
アスコルビン酸含有炭酸カルシウムについて種々線量でγ線を照射し、そのＥＳＲ信号強度を測定した。測定条件は、マイクロ波出力０．０２ｍＷ、変調磁場０．０２ｍＴである。この結果を図１１に示す。図示のように、γ線吸収量に比例して、ＥＳＲ信号強度も上昇した。なお、最低検出感度（２０ｍＧｙ）は、Ｓ／Ｎ比で決めた。
【００４３】
【発明の効果】
以上のように、本発明の無機イオン性分子結晶は、その結晶内部にアスコルビン酸等を有する。この無機イオン結晶は、例えば、紫外線吸収剤、ビタミンＣ補給剤およびＥＳＲ検出素子材料に応用でき、しかも、これらの従来の問題点を解決できる。本発明の無機イオン性分子結晶は、その他の用途にも使用可能である。
【図面の簡単な説明】
【図１】図１は、本発明の無機イオン性分子結晶を紫外線吸収剤に応用した一実施例における吸光度の測定結果を示す図である。
【図２】図２は、本発明の無機イオン性分子結晶を紫外線吸収剤に応用したその他の実施例における吸光度の測定結果を示す図である。
【図３】図３は、本発明の無機イオン性分子結晶を紫外線吸収剤に応用したさらにその他の実施例における吸光度の測定結果を示す図である。
【図４】図４は、本発明の無機イオン性分子結晶を紫外線吸収剤に応用したさらにその他の実施例における吸光度の測定結果を示す図である。
【図５】図５は、本発明の無機イオン性分子結晶をＥＳＲ放射線線量計の検出素子に応用した一実施例におけるＥＳＲスペクトルを示す図である。
【図６】図６は、本発明の無機イオン性分子結晶をＥＳＲ放射線線量計の検出素子に応用したその他の実施例におけるＥＳＲ信号強度と変調磁場との関係を示す図である。
【図７】図７は、本発明の無機イオン性分子結晶をＥＳＲ放射線線量計の検出素子に応用したさらにその他の実施例におけるＥＳＲ信号強度とマイクロ波出力との関係を示す図である。
【図８】図８は、本発明の無機イオン性分子結晶をＥＳＲ放射線線量計の検出素子に応用したさらにその他の実施例におけるＥＳＲスペクトルを示す図である。
【図９】図９は、本発明の無機イオン性分子結晶をＥＳＲ放射線線量計の検出素子に応用したさらにその他の実施例におけるＥＳＲ信号を示す図である。
【図１０】図１０は、本発明の無機イオン性分子結晶をＥＳＲ放射線線量計の検出素子に応用したさらにその他の実施例におけるアニーリング温度とＥＳＲ信号強度との関係を示す図である。
【図１１】図１１は、本発明の無機イオン性分子結晶をＥＳＲ放射線線量計の検出素子に応用したさらにその他の実施例におけるγ線照射線量とＥＳＲ信号強度との関係を示す図である。
【図１】
2004168701.tif 000003
【図２】
2004168701.tif 000004
【図３】
2004168701.tif 000005
【図４】
2004168701.tif 000006
【図５】
2004168701.tif 000007
【図６】
2004168701.tif 000008
【図７】
2004168701.tif 000009
【図８】
2004168701.tif 000010
【図９】
2004168701.tif 000011
【図１０】
2004168701.tif 000012
【図１１】
2004168701.tif 000013